【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
集積回路におけるグローバル電源配電網において、
（ｉ）１つ以上の電源に連結され、（ｉｉ）メッシュの複数の第１のレールを形成するように構成された導電材料の第１の層であって、前記第１のレールは、（ａ）前記集積回路のコアロジックの１つ以上のコンポーネントに電力を供給し、（ｂ）前記集積回路の第１の軸に対して位置合わせされ、（ｃ）前記メッシュが前記第１の軸に沿って前記集積回路の境界から前記集積回路の中心に一様な電圧傾度を有するように構成された１つ以上のパラメータを有することを特徴とする第１の層と、
（ｉ）前記電源に連結され、（ｉｉ）前記メッシュの複数の第２のレールを形成するように構成された導電材料の第２の層であって、前記第２のレールは、（ａ）前記コアロジックの前記コンポーネントに前記電力を供給し、（ｂ）前記集積回路の第２の軸に対して位置合わせされ、（ｃ）前記メッシュが前記第２の軸に沿って前記集積回路の前記境界から前記集積回路の前記中心に別の一様な電圧傾度を有するように構成された１つ以上のパラメータを有することを特徴とする第２の層と、
を備え、
（ｉ）前記第１のレールの前記パラメータは、前記第１のレールのそれぞれの幅を備え、（ｉｉ）前記第１のレールのそれぞれの前記幅は、前記集積回路の前記中心に最も近く配置された前記第１のレールが最も細い幅を有し、前記集積回路の前記境界に最も近い前記第１のレールが最も太い幅を有するように、前記第１のレールが前記集積回路の前記中心に接近して位置されるにつれて細くなるグローバル電源配電網。
【請求項２】
（ｉ）前記第２のレールの前記パラメータは、前記第２のレールのそれぞれの別の幅を備え、（ｉｉ）前記第２のレールのそれぞれの前記別の幅は、前記集積回路の前記中心に最も近く配置された前記第２のレールが最も細い幅を有し、前記集積回路の前記境界に最も近い前記第２のレールが最も太い幅を有するように、前記第２のレールが前記集積回路の前記中心に接近して位置されるにつれて細くなることを特徴とする請求項１に記載のグローバル電源配電網。
【請求項３】
（ｉ）前記第２のレールの前記パラメータは、前記第２のレールのそれぞれの間の間隔を備え、（ｉｉ）前記第２のレールのそれぞれの間の前記間隔は、前記集積回路の前記中心に最も近く配置された前記第２のレールが前記第２のレールとの間の最も大きい間隔を有し、前記集積回路の前記境界に最も近い前記第２のレールが前記第２のレールとの間の最も小さい間隔を有するように、前記集積回路の前記中心に向かって大きくなることを特徴とする請求項１に記載のグローバル電源配電網。
【請求項４】
前記１つ以上のパラメータは、前記複数の第１のレール、前記複数の第２のレール、又は前記複数の第１のレールと前記複数の第２のレールの組み合わせの金属化率密度を備えることを特徴とする請求項１に記載のグローバル電源配電網。
【請求項５】
前記グローバル電源配電網は、前記集積回路の行列ローレベル電源送電網に連結されることを特徴とする請求項１に記載のグローバル電源配電網。
【請求項６】
（ｉ）前記第１のレールは、非均一間隔、非均一幅、又は非均一間隔と非均一幅の両方を有し、（ｉｉ）前記第２のレールは、非均一間隔、非均一幅、又は非均一間隔と非均一幅の両方を有し、（ｉｉｉ）１つ以上の前記第１のレールは、前記集積回路の全ての表面に亘って延びず、（ｉｖ）１つ以上の前記第２のレールは、前記集積回路の前記全ての表面に亘って延びないことを特徴とする請求項１に記載のグローバル電源配電網。
【請求項７】
集積回路におけるグローバル電源配電網において、
（ｉ）１つ以上の電源に連結され、（ｉｉ）メッシュの複数の第１のレールを形成するように構成された導電材料の第１の層であって、前記第１のレールは、（ａ）前記集積回路のコアロジックの１つ以上のコンポーネントに電力を供給し、（ｂ）前記集積回路の第１の軸に対して位置合わせされ、（ｃ）前記メッシュが前記第１の軸に沿って前記集積回路の境界から前記集積回路の中心に一様な電圧傾度を有するように構成された１つ以上のパラメータを有することを特徴とする第１の層と、
（ｉ）前記電源に連結され、（ｉｉ）前記メッシュの複数の第２のレールを形成するように構成された導電材料の第２の層であって、前記第２のレールは、（ａ）前記コアロジックの前記コンポーネントに前記電力を供給し、（ｂ）前記集積回路の第２の軸に対して位置合わせされ、（ｃ）前記メッシュが前記第２の軸に沿って前記集積回路の前記境界から前記集積回路の前記中心に別の一様な電圧傾度を有するように構成された１つ以上のパラメータを有することを特徴とする第２の層と、
を備え、
（ｉ）前記第１のレールの前記パラメータは、前記第１のレールのそれぞれの間の間隔を備え、（ｉｉ）前記第１のレールのそれぞれの間の前記間隔は、前記集積回路の前記中心に最も近く配置された前記第１のレールが前記第１のレールとの間の最も大きい間隔を有し、前記集積回路の前記境界に最も近い前記第１のレールが前記第１のレールとの間の最も小さい間隔を有するように、前記集積回路の前記中心に向かって大きくなるグローバル電源配電網。
【請求項８】
（ｉ）前記第１のレールの前記パラメータは、前記第１のレールのそれぞれの幅を更に備え、（ｉｉ）前記第１のレールのそれぞれの前記幅は、前記集積回路の前記中心に最も近く配置された前記第１のレールが最も細い幅を有し、前記集積回路の前記境界に最も近い前記第１のレールが最も太い幅を有するように、前記第１のレールが前記集積回路の前記中心に接近して位置されるにつれて細くなることを特徴とする請求項７に記載のグローバル電源配電網。
【請求項９】
集積回路におけるグローバル電源配電網を設計する方法において、
（Ａ）（ｉ）１つ以上の電源に連結され、（ｉｉ）メッシュの複数の第１のレールを形成するように構成された導電材料の第１の層をコンピュータを使用して設計するステップであって、前記第１のレールは、（ａ）前記集積回路のコアロジックの１つ以上のコンポーネントに電力を供給し、（ｂ）前記集積回路の第１の軸に対して位置合わせされることを特徴とするステップと、
（Ｂ）（ｉ）前記電源に連結され、（ｉｉ）前記メッシュの複数の第２のレールを形成するように構成された導電材料の第２の層を設計するステップであって、前記第２のレールは、（ａ）前記コアロジックの前記コンポーネントに前記電力を供給し、（ｂ）前記集積回路の第２の軸に対して位置合わせされることを特徴とするステップと、
（Ｃ）前記メッシュが、前記第１の軸、前記第２の軸、又は前記第１の軸と前記第２の軸の両方に沿って前記集積回路の境界から前記集積回路の中心に一様な電圧傾度を有するように、（ｉ）前記第１のレール、（ｉｉ）前記第２のレール、又は（ｉｉｉ）前記第１のレールと前記第２のレールの組み合わせの１つ以上のパラメータを修正するステップと、
を備え、
（ｉ）前記第１のレールの前記パラメータは、前記第１のレールのそれぞれの幅を備え、（ｉｉ）前記第１のレールのそれぞれの前記幅は、前記集積回路の前記中心に最も近く配置された前記第１のレールが最も細い幅を有し、前記集積回路の前記境界に最も近い前記第１のレールが最も太い幅を有するように、前記第１のレールが前記集積回路の前記中心に接近して位置されるにつれて細くなる方法。
【請求項１０】
（ｉ）前記第２のレールの前記パラメータは、前記第２のレールのそれぞれの別の幅を備え、（ｉｉ）前記第２のレールのそれぞれの前記別の幅は、前記集積回路の前記中心に最も近い前記第２のレールが最も細い幅を有し、前記集積回路の前記境界に最も近い前記第２のレールが最も太い幅を有するように、前記第２のレールが前記集積回路の前記中心に接近して位置されるにつれて細くなることを特徴とする請求項９に記載の方法。
【請求項１１】
（ｉ）前記第２のレールの前記パラメータは、前記第２のレールのそれぞれの間の間隔を更に備え、（ｉｉ）前記第２のレールのそれぞれの間の前記間隔は、前記集積回路の前記中心に最も近く配置された前記第２のレールが前記第２のレールとの間の最も大きい間隔を有し、前記集積回路の前記境界に最も近い前記第２のレールが前記第２のレールとの間の最も小さい間隔を有するように、前記集積回路の前記中心に向かって大きくなることを特徴とする請求項９に記載の方法。
【請求項１２】
前記１つ以上のパラメータは、前記複数の第１のレール、前記複数の第２のレール、又は前記複数の第１のレールと前記複数の第２のレールの組み合わせの金属化率密度を備えることを特徴とする請求項９に記載の方法。
【請求項１３】
前記複数の第１のレール、前記複数の第２のレール、又は前記複数の第１のレールと前記複数の第２のレールの組み合わせの前記１つ以上のパラメータは、最悪のケースのローカル電源の電圧降下を最小化するために修正されることを特徴とする請求項９に記載の方法。
【請求項１４】
（Ｄ）結合されたメッシュを作成するために、２つ以上の前記メッシュを相互に重ねるステップであって、前記メッシュのそれぞれの前記１つ以上のパラメータのそれぞれは、前記結合されたメッシュを向上させるために修正されることを特徴とするステップを更に備える請求項９に記載の方法。
【請求項１５】
（ｉ）前記第１のレールは、非均一間隔、非均一幅、又は非均一間隔と非均一幅の両方を有し、（ｉｉ）前記第２のレールは、非均一間隔、非均一幅、又は非均一間隔と非均一幅の両方を有し、（ｉｉｉ）１つ以上の前記第１のレールは、前記集積回路の全ての表面に亘って延びず、（ｉｖ）１つ以上の前記第２のレールは、前記集積回路の前記全ての表面に亘って延びないことを特徴とする請求項９に記載の方法。
【請求項１６】
集積回路におけるグローバル電源配電網を最適化する方法において、
（Ａ）（ｉ）１つ以上の電源に連結され、（ｉｉ）メッシュの複数の第１のレールを形成するように構成された導電材料の第１の層をコンピュータを使用して設計するステップであって、前記第１のレールは、（ａ）前記集積回路のコアロジックの１つ以上のコンポーネントに電力を供給し、（ｂ）前記集積回路の第１の軸に対して位置合わせされることを特徴とするステップと、
（Ｂ）（ｉ）前記電源に連結され、（ｉｉ）前記メッシュの複数の第２のレールを形成するように構成された導電材料の第２の層を設計するステップであって、前記第２のレールは、（ａ）前記コアロジックの前記コンポーネントに前記電力を供給し、（ｂ）前記集積回路の第２の軸に対して位置合わせされることを特徴とするステップと、
（Ｃ）前記メッシュが、前記第１の軸、前記第２の軸、又は前記第１の軸と前記第２の軸の両方に沿って前記集積回路の境界から前記集積回路の中心に一様な電圧傾度を有するように、（ｉ）前記第１のレール、（ｉｉ）前記第２のレール、又は（ｉｉｉ）前記第１のレールと前記第２のレールの組み合わせの１つ以上のパラメータを修正するステップと、
を備え、
（ｉ）前記第１のレールの前記パラメータは、前記第１のレールのそれぞれの間の間隔を備え、（ｉｉ）前記第１のレールのそれぞれの間の前記間隔は、前記集積回路の前記中心に最も近く配置された前記第１のレールが前記第１のレールとの間の最も大きい間隔を有し、前記集積回路の前記境界に最も近い前記第１のレールが前記第１のレールとの間の最も小さい間隔を有するように、前記集積回路の前記中心に向かって大きくなる方法。
【請求項１７】
（ｉ）前記第１のレールの前記パラメータは、前記第１のレールのそれぞれの幅を更に備え、（ｉｉ）前記第１のレールのそれぞれの前記幅は、前記集積回路の前記中心に最も近く配置された前記第１のレールが最も細い幅を有し、前記集積回路の前記境界に最も近い前記第１のレールが最も太い幅を有するように、前記第１のレールが前記集積回路の前記中心に接近して位置されるにつれて細くなることを特徴とする請求項１６に記載の方法。
【請求項１８】
（ｉ）前記第２のレールの前記パラメータは、前記第２のレールのそれぞれの幅を更に備え、（ｉｉ）前記第２のレールのそれぞれの前記幅は、前記集積回路の前記中心に最も近く配置された前記第２のレールが最も細い幅を有し、前記集積回路の前記境界に最も近い前記第２のレールが最も太い幅を有するように、前記第２のレールが前記集積回路の前記中心に接近して位置されるにつれて細くなることを特徴とする請求項１６に記載の方法。
【請求項１９】
コンピュータに以下のステップを実行させるように構成された非一時的コンピュータ可読記憶メディアに格納されたコンピュータ実行可能命令を備える設計ツールにおいて、
（Ａ）導電材料の第１の層の１つ以上のパラメータを定義するユーザ入力を受信するステップであって、前記導電材料の第１の層は、（ｉ）１つ以上の電源に連結され、（ｉｉ）メッシュの複数の第１のレールを形成するように構成され、前記第１のレールは、（ａ）集積回路のコアロジックの１つ以上のコンポーネントに電力を供給し、（ｂ）前記集積回路の第１の軸に対して位置合わせされることを特徴とするステップと、
（Ｂ）導電材料の第２の層の１つ以上のパラメータを定義するユーザ入力を受信するステップであって、前記導電材料の第２の層は、（ｉ）前記電源に連結され、（ｉｉ）前記メッシュの複数の第２のレールを形成するように構成され、前記第２のレールは、（ａ）前記コアロジックの前記コンポーネントに電力を供給し、（ｂ）前記集積回路の第２の軸に対して位置合わせされることを特徴とするステップと、
（Ｃ）前記メッシュが、前記第１の軸、前記第２の軸、又は前記第１の軸と前記第２の軸の両方に沿って前記集積回路の境界から前記集積回路の中心に一様な電圧傾度を有するように、（ｉ）前記第１のレール、（ｉｉ）前記第２のレール、又は（ｉｉｉ）前記第１のレールと前記第２のレールの組み合わせの前記パラメータを修正するステップと、
を備え、
（ｉ）前記第２のレールの前記パラメータは、前記第２のレールのそれぞれの幅を備え、（ｉｉ）前記第２のレールのそれぞれの前記幅は、前記集積回路の前記中心に最も近く配置された前記第２のレールが最も細い幅を有し、前記集積回路の前記境界に最も近い前記第２のレールが最も太い幅を有するように、前記第２のレールが前記集積回路の前記中心に接近して位置されるにつれて細くなる設計ツール。
【請求項２０】
（ｉ）前記第１のレールの前記パラメータは、前記第１のレールのそれぞれの別の幅を備え、（ｉｉ）前記第１のレールのそれぞれの前記別の幅は、前記集積回路の前記中心に最も近く配置された前記第１のレールが最も細い幅を有し、前記集積回路の前記境界に最も近い前記第１のレールが最も太い幅を有するように、前記第１のレールが前記集積回路の前記中心に接近して位置されるにつれて細くなることを特徴とする請求項１９に記載の設計ツール。